(57)【特許請求の範囲】
【請求項１】
一次巻線と、二次巻線と、これら巻線が個別に巻き付けられる第１、第２のコイルボビンと、前記両巻線間に配置される一対のパスコアと、第１、第２の鉄心とを組み合わせて形成される電磁機器において、
前記パスコアが両端に溝を有したパスコア板を多数枚積層してなり、
前記一次巻線が巻き付けられた前記第１コイルボビンのフランジ外面に一対の突出壁を突設するとともに、これら突出壁の相対向する面に突設された係合リブに前記溝を係合させて前記第１コイルボビンのフランジ外面に前記パスコアを保持し、
前記第１、第２の両鉄心を夫々中央脚とその両側に位置される一対の側脚を有したＥ形鉄心とするとともに、前記第１鉄心の中央脚と側脚との間の第１凹部と、前記第２鉄心の中央脚と側脚との間の第２凹部とを互いに連続させて、前記両鉄心に渡る鉄心窓孔を形成し、
前記第１鉄心を前記一次巻線側から前記第１コイルボビンに組み合わせるとともに、前記第２鉄心を前記二次巻線側から前記第２コイルボビンに組み合わせて前記鉄心窓孔に前記巻線付きの前記コイルボビンと前記パスコアとを嵌合配置し、かつ、前記両鉄心の側脚同志の突き合わせ部を前記二次巻線の側方に配置したことを特徴とする電磁機器。
【発明の詳細な説明】
【０００１】
【発明の属する技術分野】
本発明は、放電灯例えばＨＩＤと通称される高輝度放電灯を点灯させるのに使用される磁器漏洩形の放電灯安定器などの電磁機器に関する。
【０００２】
【従来の技術】
図７に示されるように従来のＨＩＤ用放電灯安定器（電磁機器）は、コイルボビン１、２と、一次巻線３と、二次巻線４と、Ｅ形鉄心５と、Ｉ形鉄心６と、一対のパスコア７とを組み合わせて形成されている。一次巻線３が巻き付けられたコイルボビン１と、二次巻線４が巻き付けられたコイルボビン２との間には、一対のパスコア７が夫々配置される。したがって、一対のパスコア７は図９に示されるように両巻線３、４間に配置される。
【０００３】
Ｅ形鉄心５はコイルボビン２側から組み合わされ、Ｉ形鉄心６はＥ形鉄心５の各脚の先端に当接してコイルボビン１側から組み合わされ、これら両鉄心５、６は溶接（図９に溶接跡を符号８で示す）により連結される。この安定器において、Ｅ形鉄心５の中央脚５ａと側脚５ｂとの間に形成される凹部５ｃは、Ｉ形鉄心６で塞がれて長方形の鉄心窓孔９（図８参照）を形成しており、この窓孔９に巻線３、４付きのコイルボビン１、２とパスコア７とが嵌合配置されている。
【０００４】
【発明が解決しようとする課題】
磁気回路をなす鉄心５、６において、図８に示されるように中央脚５ａの幅をＡとした場合、側脚５ｂの幅と、これら両脚５ａ、５ｂをつないだベース部５ｄの幅と、Ｉ形鉄心６の幅とは、Ａ／２に設定されており、それにより、前記磁気回路において部分的な磁気飽和を起こすことがないようにしてある。
【０００５】
こうしたことから前記磁気回路の最小幅はＩ形鉄心６により規定されてしまうので、鉄心５、６の組合わせの大きさが一定に決められている条件下では、Ｅ形鉄心５の凹部５ｃのみで鉄心窓孔９を形成する従来においては、この窓孔９を大きくできないという問題がある。鉄心窓孔９には既述のようにコイルボビン１、２が嵌合配置されるので、前記のように鉄心窓孔９が大きくないということは、巻線スペースが小さく規定されるということと同じである。
【０００６】
そして、この鉄心窓孔１２の大きさに応じて巻線の総巻数が決定されるので、その範囲で両巻線３、４の巻数配分（言い換えれば電圧配分）も決定される。ところで、放電灯安定器の特性向上のためには、二次巻線４のインダクタンスは大きい方がよく、そのためには、一次巻線３の巻数を減らして二次巻線４の巻数を多くすればよい。
【０００７】
しかし、図６〜図９に示された従来の構成では、磁気回路の長さが短いことや、両鉄心５、６の突き合わせ部１０が一次巻線３のパスコア７とは反対側の端に位置されていること等から、二次巻線４の結合率がよく、したがって、ＨＩＤ等の点灯に適する必要な二次電圧が確保されている。
【０００８】
こうした条件のもとで、前記限られた巻線スペース内で一次巻線３の巻数を減らして二次巻線４の巻数を増やし、二次巻線４のインダクタンスを大きくすると、例えば二次電圧が上昇して、ＨＩＤ等の放電開始電圧が不必要に過昇してしまう等の電気特性に悪影響を与える。そのため、二次巻線４の巻数を増やすことが困難であるという問題がある。
【０００９】
したがって、本発明が解決しようとする課題は、全体の大形化を伴うことなく巻線スペースを大きく確保できて、巻線配分の自由度を向上できるとともに、二次電圧の増加を抑制しつつ二次巻線のインダクタンスを大きくでき、しかも、組立て性も向上できる電磁機器を提供することにある。
【００１１】
【課題を解決するための手段】
本発明は、一次巻線と、二次巻線と、これら巻線が個別に巻き付けられる第１、第２のコイルボビンと、前記両巻線間に配置される一対のパスコアと、第１、第２の鉄心とを組み合わせて形成される電磁機器を前提とする。
【００１２】
そして、前記課題を解決するために請求項１の発明は、前記パスコアが両端に溝を有したパスコア板を多数枚積層してなり、前記一次巻線が巻き付けられた前記第１コイルボビンのフランジ外面に一対の突出壁を突設するとともに、これら突出壁の相対向する面に突設された係合リブに前記溝を係合させて前記第１コイルボビンのフランジ外面に前記パスコアを保持し、前記第１、第２の両鉄心を夫々中央脚とその両側に位置される一対の側脚を有したＥ形鉄心とするとともに、前記第１鉄心の中央脚と側脚との間の第１凹部と、前記第２鉄心の中央脚と側脚との間の第２凹部とを互いに連続させて、前記両鉄心に渡る鉄心窓孔を形成し、前記第１鉄心を前記一次巻線側から前記第１コイルボビンに組み合わせるとともに、前記第２鉄心を前記二次巻線側から前記第２コイルボビンに組み合わせて前記鉄心窓孔に前記巻線付きの前記コイルボビンと前記パスコアとを嵌合配置し、かつ、前記両鉄心の側脚同志の突き合わせ部を前記二次巻線の側方に配置したものである。
【００１３】
この請求項１の発明においては、鉄心窓孔を両鉄心に渡って形成したことにより、第１、第２の鉄心が形成する磁気回路の各部の幅を、第２鉄心の最大幅に制約されることなく、この第２鉄心の凹部の底面と第２鉄心の外面との間のベース部の最小幅で規定できる。そして、前記両鉄心の側脚の幅および第１鉄心のベース部の幅が、前記第２鉄心の最小幅と同幅に形成されるとともに、それに応じて両鉄心の中央脚が前記最小幅の２倍の幅で形成されるから、結果的に、巻線スペースを規定する前記鉄心窓孔の幅等を大きく確保できる。それにより、二次巻線の巻数を増やしてそのインダクタンスを増加きる等、巻線配分の自由度を向上できる。
【００１５】
更に、請求項１の発明においては、両鉄心の側脚同志の突き合わせ部の位置を二次巻線の側方に設けたから、二次巻線の結合率が下がって、二次電圧を下げることができる。そのため、インダクタンスを大きくするために二次巻線の巻数の増加に拘らず、二次電圧の上がり過ぎを防止して、適正な二次電圧を得ることができる。しかも、前記のように突き合わせ部を二次巻線の側方に設けたことにより、一次巻線が巻き付けられたコイルボビンと、多数枚のパスコア板を積層してなるパスコアと、二次巻線が巻き付けられたコイルボビンとを夫々個別に組み込む組立てを行う場合において、第１鉄心の第１凹部内にパスコア全体を収納して、第１凹部に臨む第１鉄心の側脚と中央脚とでパスコア全体を位置決めできる。それにより、前記組立ての際にパスコアをなす積層された多数枚のパスコア板の積層状態が崩れてしまうことがなくなり、容易に組み立てを行うことができる。
【００１６】
【発明の実施の形態】
以下、図１〜図４を参照して本発明の第１の実施の形態を説明する。
この第１の実施の形態に係る電磁機器としてのＨＩＤ用放電灯安定器２２は、図１および図２に示されるように第１コイルボビン２３と、第２コイルボビン２４と、一次巻線２５と、二次巻線２６と、第１鉄心２７と、第２鉄心２８と、一対のパスコア２９とを組み合わせて形成されている。この安定器２２は、図４中２点鎖線で示す四角筒形の安定器ケース２１内に、このケース２１の軸方向に各鉄心２７、２８の積厚（積層厚み）方向を一致させて収納されるようになっている。
【００１７】
合成樹脂の成型品からなる第１コイルボビン２３は、図２等に示されるように胴部２３ａの両端部に夫々外側に張出すフランジ２３ｂ、２３ｃを有して長四角な枠構造をなしているとともに、フランジ２３ｂ、２３ｃ間に巻線の巻き溝を形成している。この第１コイルボビン２３の長手方向の一端部においてフランジ２３ｂ、２３ｃの外面には夫々複数の端子部２３ｄが形成されており、そのうち必要な端子部には図１に示されるように端子金具３１が挿着されるようになっている。
【００１８】
図２に示されるように第１コイルボビン２３の長手方向両端部においてフランジ２３ｃの外面には例えば連結用の突出壁３２が一体に突設されている。これら突出壁３２は第１コイルボビン２３の全幅に渡って延びており、その相対向する面には夫々一対の係合リブ３３が突設されている。しかも、これらのリブ３３が突設された前記面とは反対側の面の中央部には夫々一対の係合爪３４が突設されている。
【００１９】
合成樹脂の成型品からなる第２コイルボビン２４は、図２等に示されるように胴部２４ａの両端部に夫々外側に張出すフランジ２４ｂ、２４ｃを有して長四角な枠構造をなしているとともに、フランジ２４ｂ、２４ｃ間に巻線の巻き溝を形成している。第２コイルボビン２４の枠構造は、その巻き溝が第１コイルボビン２３の巻き溝より狭い点を除き第１コイルボビン２３の枠構造と同じである。この第２コイルボビン２４の長手方向の一端部においてフランジ２４ｂ、２４ｃの外面には夫々複数の端子部２４ｄが形成されており、そのうち必要な端子部には図１に示されるように端子金具３５が挿着されるようになっている。
【００２０】
この第２コイルボビン２４の長手方向両端部においてフランジ２４ｃの外面には、一対の四角な孔からなる係止孔を有した係止突片（図示しない）が夫々突設されている。これらの係止孔は前記係止爪３４に係合されるものであって、その係合により、両コイルボビン２３、２４はそのフランジ２３ｃ、２４ｃを対向させた状態に並べて連結され、一体化されたコイルボビン組立てを形成するようになっている。
【００２１】
一次巻線２５は第１コイルボビン２３の巻き溝に巻き付けられている。この巻線２５の外周面には保護テープが巻き付けられている。この一次巻線２５の一端、他端、および中間タップは、夫々所定位置の端子部２３ｄに保持されて、これらの端子部２３ｄに個別に挿着された端子金具３１に電気的に接続される。二次巻線２６は第２コイルボビン２４の巻き溝に巻き付けられている。この巻線２６の外周面には保護テープが巻き付けられている。この二次巻線２６の一端および他端は、夫々所定位置の端子部２４ｄに保持されて、これら端子部２４ｄに個別に挿着された端子金具３５に電気的に接続されている。そして、両巻線２５、２６は前記各端子金具３１、３５を介してＨＩＤ用点灯回路中に配設されるようになっている。
【００２２】
図２〜図４に示されるように前記第１鉄心２７は、ベース部２７ａの長手方向両端部に夫々側脚２７ｂを設けるとともに、ベース部２７ａの長手方向中央部に中央脚２７ｃを設けてなるＥ形鉄心板を多数枚積層してなるＥ形鉄心である。図３に示されるように中央脚２７ｃの幅Ｂに対して、ベース部２７ａおよび一対の側脚２７ｂの幅はＢ／２である。
【００２３】
このＥ形の第１鉄心２７の各脚２７ｂ，２７の長さＣは、コイルボビン組立ての厚み（図４に示される両コイルボビン２３、２４の最も離れたフランジ２３ｂ、２４ｂ間の寸法）Ｄより短く、特に、この第１の実施の形態においては、フランジ２３ｂからフランジ２４ｂとフランジ２４ｃとの間の長さＤ〜Ｅであって、しかも、パスコア２９寄りに達する長さＣとしてある。第１鉄心２７は、中央脚２７ｃとその両側の側脚２７ｂとの間に夫々、第１凹部２７ｄを有している。これら第１凹部２７ｄの深さと各脚２７ｂ、２７ｃの長さは同じである。
【００２４】
この第１鉄心２７はその中央脚２７ｃを前記一体化されたコイルボビン組立ての胴部２３ａ、２４ａに、第１コイルボビン２３側から挿入して設けられる。
【００２５】
図２に示されるように前記第２鉄心２８は、第１鉄心２７と同様にベース部２８ａの長手方向両端部に夫々側脚２８ｂを設けるとともに、ベース部２８ａの長手方向中央部に中央脚２８ｃを設けてなるＥ形鉄心板を多数枚積層してなるＥ形鉄心である。この鉄心２８の積厚は第１鉄心２７の積厚と同じである。図３に示されるように中央脚２８ｃの幅Ｂに対して、ベース部２８ａおよび一対の側脚２８ｂの幅はＢ／２である。このＥ形の第２鉄心２８の各脚２８ｂ、２８ｃの長さＦは、第１鉄心２７の各脚２７ｂ、２７ｃの長さよりも短く、第２コイルボビン２４の厚み以下である。
【００２６】
第２鉄心２８は、中央脚２８ｃとその両側の側脚２８ｂとの間に夫々、第２凹部２８ｄを有している。これら第２凹部２８ｄの深さと各脚２８ｂ、２８ｃの長さは同じである。この鉄心２８は、第２コイルボビン２４に第２凹部２８ｄを嵌合して設けられ、その各脚２８ｂ、２８ｃの先端面を第１鉄心２７の各脚２７ｂ、２７ｃの先端面に夫々当接させて組み合わされる。
【００２７】
それによって、図４に示されるように第１鉄心２７の第１凹部２７ｄと第２鉄心２８の第２凹部２８ｄとが、互いに連続されて、両鉄心２７、２８に渡る長方形の鉄心窓孔３７を形成している。この窓孔３７には、前記コイルボビン組立てをなした巻線２５、２６付のコイルボビン２３、２４と一対のパスコア２９とが嵌合配置されている。
【００２８】
図２に示されるように前記一対のパスコア２９は、略短冊形に打ち抜かれたパスコア板を多数枚積層してなり、その長手方向両端部に溝２９ａを有している。これらパスコア２９は、その溝２９ａを前記係合リブ３３に嵌合させることにより第１コイルボビン２３のフランジ２３ｃの外面に保持されるとともに、前記コイルボビン組立ての組立てにより両コイルボビン２３、２４間に配置されるようになっている。両パスコア２９は両鉄心２７、２８の積厚と同じかそれよりも少し長い。
【００２９】
前記各部品からなる安定器本体２１は次の手順で組立てられる。まず、第１コイルボビン２３に一次巻線２５を巻き付けて、その端末部および中間のタップを夫々所定の端子部２３ｄに端子金具３１を介して接続するとともに、同様に、第２コイルボビン２４に二次巻線２６を巻き付けて、その端末部を夫々所定の端子部２４ｄに端子金具３６を介して接続する。
【００３０】
次に、第１コイルボビン２３のフランジ２３ｃの外面に、このボビン２３の厚み方向に一対のパスコア２９を積層されるように取付けた後、第１、第２のコイルボビン２３、２４を並べて、これらの係合爪３４およびそれに対応する図示されない係合孔を係合させることにより、両ボビン２３、２４を連結してコイルボビン組立てを組立てる。
【００３１】
この後、このコイルボビン組立てに対して第１、第２の鉄心２７、２８を組み合わせる。この場合、コイルボビン組立てに対して、はじめに、第１鉄心２７がその中央脚２７ｃを第１コイルボビン２３側から挿入して組合わされる。それにより、コイルボビン組立ては、その第２コイルボビン２４の略半分の厚みを残して第１鉄心２７の第１凹部２７ｄに嵌合される。次に、コイルボビン組立てに対して、第２鉄心２８がその中央脚２８ｃを第２コイルボビン２４側から挿入して組合わされる。それにより、第２鉄心２８の第２凹部２８ｄが第２コイルボビン２４に嵌合されて第１凹部２７ｄと連続される。したがって、第１、第２の凹部２７ｄ、２８ｄが互いに連続され鉄心窓孔３７が形成されるとともに、この窓孔３７内に前記コイルボビン組立てが嵌合配置される。
【００３２】
最後に、互いに突き合わされた第１、第２の両鉄心２７、２８の側脚２７ｂ、２８ｂの突き合わせ部３８を溶接により連結する。図１（Ａ）および図４中３９は溶接跡を示している。なお、こうした手順で組立てられた放電灯安定器２２は図１（Ａ）および図４に示され、前記突き合わせ部３８は二次巻線２４の側方に設けられている。この安定器２２の第１、第２の鉄心２７、２８がなす組合わせ形状は、図９に示した従来のものと同一寸法である。この放電灯安定器２２は、一次巻線２５に供給される 100Ｖの電源電圧を 200Ｖに昇圧して二次巻線２６に放出し、それをＨＩＤに供給して、このＨＩＤを点灯させる。
【００３３】
前記構成の放電灯安定器２２は、そのコイルボビン組立てが嵌合配置される鉄心窓孔３７を第１、第２の鉄心２７、２８に渡って形成しているので、両鉄心２７、２８が形成する磁気回路の各部の幅を、第２鉄心２８の最大幅Ｇに制約されることなく、この第２鉄心２８の第２凹部の底面と第２鉄心２８の外面との間のベース部２８ａの最小幅Ｉ（なお、Ｉ＝Ｂ／２）で規定することができる。
【００３４】
そして、第１、第２の鉄心２７、２８の側脚２７ｂ、２８ｂの幅および第１鉄心２７のベース部２７ａの幅が、第２鉄心２８のベース部２８ａと同幅（Ｂ／２）に形成されるに伴って、両鉄心２７、２８の中央脚２７ｃ、２８ｃが前記最小幅の２倍の幅Ｂで形成されるから、従来と同一の外形寸法のもとで結果的に、巻線スペースを規定する鉄心窓孔３７の幅Ｈを従来より大きく確保できる。しかも、両鉄心２７、２８のベース部２７ａ、２８ｂの幅が従来のものに比較して少し狭くなることにより、鉄心窓孔３７の長さＤも従来のものより少し長くできる。
【００３５】
このように鉄心窓孔３７を大きく確保できるため、コイルボビン組立ての巻線の総巻数を増やすことができる。したがって、所定の電圧配分を得るのに必要な巻数を両巻線２３、２４に確保しつつ二次巻線２４の巻数を大きく増やして、二次巻線２４のインダクタンスを増やすことがすことができる等、巻線配分の自由度を向上できる。
【００３６】
しかも、図４に示されるように第１、第２の鉄心２７、２８の側脚２７ｂ、２８ｂの突き合わせ部３８の位置を二次巻線２４の側方に設けたことにより、二次巻線２４の結合率を下げることができる。特に、この結合率は、突き合わせ部３８をパスコア２９に近付けた位置にする程下げることができる。
【００３７】
こうした結合率の低下により二次巻線２４に誘起される二次電圧が下げられるから、前記インダクタンスを大きくするために二次巻線２４の巻数を増加したにも拘らず、二次電圧が上がり過ぎることが防止されて、ＨＩＤの点灯に適正な二次電圧を得ることができる。
【００３８】
図６は本発明の参考例に係る放電灯安定器の構成を分解して示す斜視図である。この参考例は、第１コイルボビンがパスコアの保持構造を備えない点のみが前記第１の実施の形態とは異なり、それ以外の構成は図６に図示されない部分を含めて図１〜図５に示された前記第１の実施の形態の放電灯安定器と同一ないしは同様な構成である。そのため、図示されない構成については図１〜図５をもって代用するとともに、図示される同一ないしは同様な構成部分には第１の実施の形態と同一の符号を付して、それらの構成の説明およびそれに基づく作用効果の説明については省略するが、これら同一ないしは同様な構成部分についても参考例に係る放電灯安定器の構成の一部をなすものである。
【００３９】
この参考例において、前記第１の実施の形態で設けた係合リブに相当する構成は省略されていて、第１コイルボビン２３の突出壁３２の内面は平坦となっており、そして、これに対応してパスコア２９の両端部も平坦面となっていて、前記第１の実施の形態で設けた溝は省略されている。そのため、この第２の実施の形態では、コイルボビン組立てに相当する構成はなく、第１、第２のコイルボビン２３、２４と一対のパスコア２９とは一体化されることなく設けられている。なお、以上の点以外の構成は前記第１の実施の形態と同じである。
【００４０】
この参考例における組立ては、一次巻線２５が取付けられた第１コイルボビン２３を第１鉄心２７の中央脚２７ｃに嵌合した後、一対のパスコア２９を第１鉄心２７の第１凹部２７ｄに嵌合させて第１コイルボビン２３の突出壁３２間に収め、次いで、二次巻線２６が取付けられた第２コイルボビン２４を第１鉄心２７の中央脚２７ｃに嵌合させてから、このボビン２４の前記第１凹部２７ｄから突出した部分に第２鉄心２８を嵌合し、最後に両鉄心２７、２８の側脚２７ｂ、２８ｂ同志の突き合わせ部３８を溶接止めすることにより、実施される。
【００４１】
こうした参考例においても、前記第１の実施の形態と同様な理由により、両鉄心２７、２８の第１凹部２７ｄと第２凹部２８ｄとが連続して形成される鉄心窓孔を大きくできるために、本発明の課題を解決することができる。
【００４２】
しかも、この参考例では両コイルボビン２３、２４が連結されていないにも拘らず、次ぎの理由により容易に前記組立てを行うことができる。すなわち、既述のように両鉄心２７、２８の側脚２７ｂ、２８ｂの突き合わせ部３８を二次巻線２６側方に設けたことにより、前記手順で組立てを行う際に、多数枚のパスコア板が積層されてなるパスコア２９の全体を、第１鉄心２７の凹部２７ｄ内に収納して、前記凹部２７ｄに臨む側脚２７ｂと中央脚２７ｃとでパスコア２９を位置決できる。それにより、パスコア２９をなす積層された多数枚のパスコア板の積層状態が崩れてしまうことがなくなって、容易に組み立てを行うことができる。
【００４３】
この点に関して図６に示される比較例を説明する。この例は、両鉄心２７、２８が例えば同形のＥ形鉄心からなる等、その側脚２７ｂ、２８ｂの突き合わせ部がパスコア２９の側方に位置される構成である。この例でも本発明の第１の課題を解決できるが、その組立てに当たってパスコア２９の一部が図６に示されるように第１凹部２７ｄの上方に配置され、この凹部２７ｄ外に位置されるパスコア板については積層状態を保持する手段がない。
【００４４】
そのために、第２鉄心２８を嵌合する以前において、パスコア２９をなす積層された多数枚のパスコア板のうち第１凹部２７ｄ外に位置されるパスコア板の積層状態が崩れてしまって、組立てに支障を来し易い。しかし、図５に示された構成においては、以上のようにパスコア２９の積層状態の崩れが防止されるので、容易に前記組み立てを行うことができる。
【００４６】
【発明の効果】
請求項１の発明に係る電磁機器によれば、第１鉄心の第１凹部と第２鉄心の第２凹部とを互いに連続させて、これら両鉄心に渡る鉄心窓孔を設けて、全体の大形化を伴うことなく巻線スペースを規定する前記鉄心窓孔を大きく確保できるから、二次巻線の巻数を増やすことができる等、巻線配分の自由度を向上できる。
【００４７】
更に、請求項１の発明に係る電磁機器によれば、二次巻線の結合率を下げることができるため、二次電圧の増加を抑制しつつ二次巻線のインダクタンスを大きくでき、しかも、コイルボビンとは別個にパスコアを組み込むにあたり、第１鉄心の第１凹部内にパスコア全体を収納して、このパスコアを位置決めできるから、組立て性を向上できる。
【図面の簡単な説明】
【図１】  （Ａ）は本発明の第１の実施の形態に係る放電灯安定器の構成を示す側面図。
（Ｂ）は第１の実施の形態に係る放電灯安定器の構成を示す下面図。
【図２】  第１の実施の形態に係る放電灯安定器の構成を分解して示す斜視図。
【図３】  第１の実施の形態に係る放電灯安定器の鉄心の組立て状態を示す正面図。
【図４】  図１（Ａ）中Ｚ−Ｚ線に沿う断面図。
【図５】  本発明の参考例に係る放電灯安定器の構成を分解して示す斜視図。
【図６】  参考例に係る放電灯安定器に対する比較例に係る放電灯安定器の構成を分解して示す断面図。
【図７】  従来例に係る放電灯安定器の構成を分解して示す斜視図。
【図８】  従来例に係る放電灯安定器の鉄心の組立て状態を示す正面図。
【図９】  従来例に係る放電灯安定器の前記図４相当の断面図。
【符号の説明】
２２…放電灯安定器（電磁機器）、
２３…第１コイルボビン、
２３ｃ…第１コイルボビンのフランジ、
２４…第２コイルボビン、
２４ｃ…第２コイルボビンのフランジ、
２５…一次巻線、
２６…二次巻線、
２７…第１鉄心、
２８…第２鉄心、
２７ｂ…第１鉄心の側脚、
２７ｃ…第１鉄心の中央脚、
２７ｄ…第１凹部、
２８ｂ…第２鉄心の側脚、
２８ｃ…第２鉄心の中央脚、
２８ｄ…第２凹部、
２９…パスコア、
２９ａ…溝、
３２…突出壁、
３３…係合リブ、
３７…鉄心窓孔、
３８…突き合わせ部。
【図１】
0003711587.tif 000002
【図２】
0003711587.tif 000003
【図３】
0003711587.tif 000004
【図４】
0003711587.tif 000005
【図５】
0003711587.tif 000006
【図６】
0003711587.tif 000007
【図７】
0003711587.tif 000008
【図８】
0003711587.tif 000009
【図９】
0003711587.tif 000010